(57)【要約】【課題】胃や腸にできたポリープを安全に切除することのできるホットバイオプシー鉗子を提供する。【解決手段】外周部が絶縁被覆チューブ１Ｂで被覆された可撓性の線材１の前端部にポリープを挾持するための挾みカップ３，３を開閉させる機構部Ｐを有するホットバイオプシー鉗子において、前記絶縁被覆チューブ１Ｂが前後へ移動自在に嵌合被覆されて、挾みカップ３，３を開閉させる機構部Ｐが被覆されるように構成され、挾みカップ３，３によりポリープを挾持した状態で通電して切除する時にポリープ切除近辺の粘膜に機構部Ｐが接触して漏電するのを防止するようにしたポリープ切除用漏電防止のホットバイオプシー鉗子。【選択図】　　　　　図１
2004097615.tif 000002
【特許請求の範囲】
【請求項１】
外周部が絶縁被覆チューブで被覆された可撓性の線材の前端部に、ポリープを挾持するための挾みカップを開閉させる機構を有するホットバイオプシー鉗子において、前記絶縁被覆チューブが前後へ移動自在に嵌合被覆されて、挾みカップを開閉させる機構部が被覆されるように構成されてなることを特徴とするポリープ切除用漏電防止のホットバイオプシー鉗子。
【請求項２】
挾みカップを開閉させる機構部は、絶縁被覆チューブを後退させた状態で剥き出しになるようにし、前方へ移動させた状態で被覆されるように構成されてなることを特徴とする請求項１記載のポリープ切除用漏電防止のホットバイオプシー鉗子。
【請求項３】
挾みカップを開閉させる機構がリンクで連結した機構であり、挾みカップを開閉させる機構部を剥き出しにした状態で挾みカップが開くようにし、挾みカップが閉じた状態で絶縁被覆チューブを前方へ移動させて、前記機構部が被覆されるように構成されてなることを特徴とする請求項１又は請求項２記載のポリープ切除用漏電防止のホットバイオプシー鉗子。
【請求項４】
絶縁被覆チューブの後端部にハンドルを設け、該ハンドルをバネにより押し出すようにして、絶縁被覆チューブが前方へ移動するように構成されてなることを特徴とする請求項１乃至請求項３のいずれか１項に記載のポリープ切除用漏電防止のホットバイオプシー鉗子。
【請求項５】
絶縁被覆チューブを後退させた状態で係止して機構部を剥き出しの状態に保てるようにし、係止を外すと絶縁被覆チューブが前方へ移動するように構成されてなることを特徴とする請求項１乃至請求項４のいずれか１項に記載のポリープ切除用漏電防止のホットバイオプシー鉗子。
【発明の詳細な説明】
【０００１】
【発明の属する技術分野】
本発明は、漏電しないように安全に胃や腸にできたポリープを切除することのできるポリープ切除用漏電防止のホットバイオプシー鉗子に関するものである。
【０００２】
【従来の技術及び発明が解決しようとする課題】
内視鏡等において使用されるポリープ切除用のホットバイオプシー鉗子は、従来、胃や腸にできたポリープを挾むための挾みカップがリンクで連結され、リンクの作動で開閉するように構成されていて、挾みカップを開く時は、リンクの連結部が外側へ出張ることから、リンクの機構部を被覆することが困難であり、剥き出しにされているのが一般的である。
【０００３】
そのために、剥き出しにされた機構部が、ポリープの部位によっては胃や腸の粘膜と接触することから、挾みカップでポリープを挟み、高周波電流を流してポリープを切除する際に漏電するという問題点があり、漏電すると切除部分の充分な凝固（止血）がなされず、出血しやすくなる危険性がある。
そこで、本発明は上記問題点を解消して、胃や腸にできたポリープを安全に切除することのできるポリープ切除用漏電防止のホットバイオプシー鉗子を提供することを課題とするものである。
【０００４】
【課題を解決するための手段】
上記課題を達成するために、本発明は以下に記載する手段を講じてなるポリープ切除用漏電防止のホットバイオプシー鉗子としたものである。
すなわち、
（１）外周部が絶縁被覆チューブで被覆された可撓性の線材の前端部に、ポリープを挾持するための挾みカップを開閉させる機構を有するホットバイオプシー鉗子において、前記絶縁被覆チューブが前後へ移動自在に嵌合被覆されて、挾みカップを開閉させる機構部が被覆されるように構成されてなることを特徴とするポリープ切除用漏電防止のホットバイオプシー鉗子である。
よって、挾みカップを開閉させる機構部が絶縁被覆チューブで被覆された状態で通電してポリープを切除すれば、挾みカップを開閉させる機構部がポリープ近辺の粘膜に接触することなく行え、漏電することなく安全に胃や腸にできたポリープを切除できる。
【０００５】
（２）挾みカップを開閉させる機構部は、絶縁被覆チューブを後退させた状態で剥き出しになるようにし、前方へ移動させた状態で被覆されるように構成されてなることを特徴とする前項（１）記載のポリープ切除用漏電防止のホットバイオプシー鉗子であり、前記挾みカップを開閉させる機構部は、通電する時のみ、絶縁被覆チューブで被覆されていれば良く、通電する時以外は、剥き出しになっているほうが良く、機構部を作動させて挾みカップを開閉させるのに支障なく行える。
【０００６】
（３）挾みカップを開閉させる機構がリンクで連結した機構であり、挾みカップを開閉させる機構部を剥き出しにした状態で挾みカップが開くようにし、挾みカップが閉じた状態で絶縁被覆チューブを前方へ移動させて、前記機構部が被覆されるように構成されてなることを特徴とする前項（１）又は（２）記載のポリープ切除用漏電防止のホットバイオプシー鉗子であり、特に、リンクで連結した機構である場合、挾みカップを開くのにリンクの連結部が外側へ出張るので、機構部が剥き出しの状態でないと挾みカップを開くことは困難となり、挾みカップを閉じてリンクの連結部が出張っていない状態では絶縁被覆チューブは前方へ移動可能となるので、リンクで連結した機構部は被覆される。
【０００７】
（４）絶縁被覆チューブの後端部にハンドルを設け、該ハンドルをバネにより押し出すようにして、絶縁被覆チューブが前方へ移動するように構成されてなることを特徴とする前項（１）乃至（３）のいずれか１項に記載のポリープ切除用漏電防止のホットバイオプシー鉗子であり、胃や腸などの体内に挿入された挾みカップを開閉させる機構部を体外より被覆する操作が容易になる。
【０００８】
（５）絶縁被覆チューブを後退させた状態で係止して機構部を剥き出しの状態に保てるようにし、係止を外すと絶縁被覆チューブが前方へ移動するように構成されてなることを特徴とする前項（１）乃至（４）のいずれか１項に記載のポリープ切除用漏電防止のホットバイオプシー鉗子であり、挾みカップを開閉させる時は、絶縁被覆チューブが後退していて機構部が剥き出しの状態に保持されるのが支障なく行うのに好ましい。
【０００９】
【発明の実施の形態】
本発明の実施の形態を実施例を示す図１において説明すると、線材１は、胃や腸などの体内に挿入するための可撓性を有するもので、密着コイル状に形成された中空材１Ａの外周部が絶縁被覆チューブ１Ｂで被覆されているのが一般的で、コイル状に形成された中空材１Ａの前端部に支持プレート２，２を延出させて、延出端部にポリープを挾むための挾みカップ３，３が支持ピン４により軸支されていて、挾みカップ３，３の後方へ延出したアーム３ａ，３ａにリンク５，５の片端部が支持ピン６，６で連結され、別端部が作動ロッド７に連結された機構となっている。
【００１０】
そして、作動ロッド７の前進によりアーム３ａ，３ａとリンク５，５の連結部がくの字状に折曲って外側へ出張ると同時に、挾みカップ３，３が開くようになっていて、作動ロッド７は中空材１Ａの中空穴にガイドされてワイヤー８により後方の作動ロッド７ａに接続され、後方の作動ロッド７ａの作動により挟みカップ３，３の開閉を行なう構成となっている。
【００１１】
中空材１Ａの外周部は、従来より絶縁被覆チューブ１Ｂにより密着固定されて被覆され、支持プレート２，２の延出端部に支持ピン４で軸支された挾みカップ３，３を開閉させるため、アーム３ａ，３ａとリンク５，５とを連結した機構部Ｐは剥き出しになっていることから、挾みカップ３，３で挾んだポリープの部位によっては、剥き出した機構部Ｐがポリープ近辺の粘膜に接触する。
剥き出した機構部Ｐが粘膜に接触すると、挾みカップ３，３で挟んだポリープを切除するため、例えば高周波電流を挾みカップ３，３に流して通電した場合、漏電して切除部分の充分な凝固（止血）がなされず、出血しやすい。
【００１２】
本発明は、中空材１Ａの外周部を被覆している絶縁被覆チューブ１Ｂを中空材１Ａに密着固定せず、移動自在に嵌合装着して剥き出した機構部Ｐが被覆されるようにしてあり、絶縁被覆チューブ１Ｂにより被覆することにより、粘膜への接触が防止され、通電時の漏電を阻止されて、ポリープ切除部分の充分な凝固が図れる。
【００１３】
又、挾みカップ３，３を開閉させるための機構部Ｐは、絶縁被覆チューブ１Ｂを後退させた状態で剥き出しになり、前方へ移動させた状態で被覆されるようにしてあり、図２は、絶縁被覆チューブ１Ｂを前方へ移動させて前記機構部Ｐが被覆された状態を示すもので、（Ａ）は要部側断面図、（Ｂ）は要部平断面図である。
【００１４】
図２に図示する如く、絶縁被覆チューブ１Ｂにより前記機構部Ｐが被覆されるためには、機構部Ｐのアーム３ａ，３ａとリンク５，５とを支持ピン６，６で連結した連結部がくの字状に折曲って外側へ出張っていない状態であることが必要不可欠であり、この状態は作動ロッド７を、接続されたワイヤー８を後方より引張ることにより挟みカップ３，３が閉じられてポリープが挾持される状態であり、挾みカップ３，３に通電される状態である。
【００１５】
ポリープを切除するための通電は、ワイヤー８から、ワイヤー８に接続された作動ロッド７を介してリンク５，５と挾みカップ３，３のアーム３ａ，３ａとを連結した機構部Ｐを経て挾みカップ３，３へ伝導されるが、機構部Ｐが絶縁被覆チューブ１Ｂで被覆された状態では、該機構部の胃や腸の粘膜への接触は防止され、漏電は阻止される。
【００１６】
図３は絶縁被覆チューブ１Ｂを後退させて機構部Ｐを剥き出しにした状態を示す要部側断面図である。この状態では作動ロッド７が接続されたワイヤー８を後方より押し出すことにより、機構部Ｐのアーム３ａ，３ａとリンク５，５とを支持ピン６，６で連結した連結部がくの字状に折曲って、挾みカップ３，３は開いた状態となる。
【００１７】
挾みカップ３，３が開いた状態では、連結部がくの字状に折曲って外側へ出張るため、絶縁被覆チューブ１Ｂにより機構部Ｐを被覆することは困難となるが、挾みカップ３，３が開いた状態では、ポリープは挾持されないので、ポリープを切除するための通電は行えないし、又通電を行う必要はない。
従って、ポリープを挾持して通電する以外は、機構部Ｐは剥き出しになっている方が、連結部がくの字状に折曲って外側へ出張っても挾みカップを開閉させるのに支障がなく行える。
【００１８】
又、前記絶縁被覆チューブ１Ｂの後端部は、中空材１Ａが移動自在に嵌合されたハンドル９に接続されていて、該ハンドル９の後方には、図４に示すように中空材１Ａの後端部のガイドボス１０との間にバネ１１を介在させて、ハンドル９が後方よりバネ１１により押し出されるようにすることにより、絶縁被覆チューブ１Ｂが前方へ移動するように構成されている。バネ１１の外側は蛇腹１２により被覆されている。
【００１９】
そして、ハンドル９の凸設部にストッパー９Ａを螺合させて設け、該ストッパーの先端部に係止部９ａを設けて、ハンドル９を後退させ、絶縁被覆チューブ１Ｂが後退した状態では、バネ１１が圧縮された状態となるようにして、中空材１Ａの外周部に設けた係止溝に係止部９ａが係止されるようにすることにより、絶縁被覆チューブ１Ｂが後退した状態で保てるようにしてあり、係止部９ａが係止溝から外れるようにハンドル９を回すことにより、中空材１Ａの外周部の長手方向に設けたガイド溝に係止部９ａがガイドされるようにすれば、ハンドル９はバネ１１により押し出され、絶縁被覆チューブ１Ｂは前方へ押し出されて移動する。
【００２０】
更に、中空材１Ａの後端部に設けたガイドボス１０には、後述するポリープ切除用ハンドルを接合して取付けるための接手１０ａが凸設されており、ワイヤー８に接続されてガイドボス１０のガイド穴にガイドされた作動ロッド７ａの後端部には、ポリープ切除用ハンドルに設けられた接続部への接続端子７ｂ，７ｃが設けてある。
【００２１】
図５は、以上のようにして後端部にポリープ切除用ハンドル１３を取付けて使用する時の外観を示す斜視図である。
先ず、図１又は図４に示す作動ロッド７ａの後端部の接続端子７ｂ，７ｃを、ポリープ切除用ハンドル１３の柄部１３ａに設けられたガイド穴に挿入して、作動取手１３ｂに設けられた接続部へ接続すると同時に、ガイドボス１０の接手１０ａをガイド穴口に挿入接合し、ロットナット１３ｃを締め付けてポリープ切除用ハンドル１３を取付ける。
【００２２】
次いで、高周波電源等に接続された接続コード１４の差込みプラグ１４ａを、作動取手１３ｂ上に設けられたソケット１３ｄに差込んで接続し、押釦スイッチ１５を押すことにより、前端部の挾みカップ３，３に高周波電源等からの電流が通電されるようにする。
【００２３】
通電は、挾みカップ３，３が閉じた状態（ポリープを挾持した状態）にして、絶縁被覆チューブ１Ｂにより挟みカップ３，３を開閉させるための機構部が被覆された状態で行なわれるが、この状態はハンドル９が前方へ押し出された状態である。
【００２４】
ハンドル９を後方へ引くと絶縁被覆チューブ１Ｂは後退し、挾みカップ３，３を開閉させるための機構部が剥き出しになった状態でハンドル９を回して係止し、剥き出した状態が保てるようにして、作動取手１３ｂを前後へ作動させることにより挾みカップ３，３を開閉させる。
【００２５】
【発明の効果】
以上記述した如く、本発明によれば、挾みカップを開閉させる機構部が、絶縁被覆チューブで被覆された状態で、ポリープを挾みカップで挾持して通電するから、前記機構部が切除しようとするポリープ近辺の粘膜に接触することなく行え、漏電することなく安全に胃や腸にできたポリープを切除できる。
【００２６】
又、絶縁被覆チューブを後退させて、挾みカップを開閉させる機構部を剥き出しにした状態で挟みカップを開閉させるから、例えば機構部がくの字状に折曲って外側へ出張るような場合でも、挾みカップを開閉させるのに支障なく行える。
などの効果を奏する。
【図面の簡単な説明】
【図１】本発明の実施例を示す斜視図である。
【図２】挾みカップを閉じて、絶縁被覆チューブで挾みカップを開閉させる機構部が被覆された要部断面図で、（Ａ）は要部側断面図、（Ｂ）は要部平断面図である。
【図３】絶縁被覆チューブを後退させて、挾みカップを開閉させるための機構部を剥き出しにし、挾みカップが開いた状態の要部側断面図である。
【図４】後端部の要部側断面図である。
【図５】ポリープ切除用ハンドルを取付けた斜視図である。
【符号の説明】
１　線材
１Ａ　中空材
１Ｂ　絶縁被覆チューブ
２　支持プレート
３　挾みカップ
３ａ　アーム
４，６　支持ピン
５　リンク
７，７ａ　作動ロッド
７ｂ，７ｃ　接続端子
８　ワイヤー
９　ハンドル
９Ａ　ストッパー
９ａ　係止部
１０　ガイドボス
１０ａ　接手
１１　バネ
１２　蛇腹
１３　ポリープ切除用ハンドル
１３ａ　柄部
１３ｂ　作動取手
１３ｃ　ロックナット
１３ｄ　ソケット
１４　接続コード
１４ａ　差込みプラグ
１５　押釦スイッチ
Ｐ　機構部
【図１】
2004097615.tif 000003
【図２】
2004097615.tif 000004
【図３】
2004097615.tif 000005
【図４】
2004097615.tif 000006
【図５】
2004097615.tif 000007